(57)【要約】【課題】  釣り用リールのハンドル把手において、ハンドル把手の握持性を向上させる。【解決手段】  ハンドル把手７３は、把手軸７２の外周に回転自在に装着された筒状部７４と、筒状部７４に回転不能に装着された把手部７５と、把手部７５の外周を被覆する弾性樹脂製のカバー部７６とを有している。筒状部７４は、基端側に設けられ把手部７５の外部に露出する露出部７４ａと、先端側に設けられ把手部７５の内部にインサート成形される埋設部７４ｂとを有している。露出部７４ａは、把手部７５を手で握ったとき２本の指の間で挟持可能な位置まで延びる先端部７４ｃを有している。カバー部７６は、先端部７４ｃ外周面と把手部７５の前端面７５ｃとを凹状の滑らかな曲面で把手部７５の全外周とともに被覆している。【選択図】      図７
2006166715.tif 000002
【特許請求の範囲】
【請求項１】
釣り用リールのハンドルアームの先端に固定された把手軸に回転自在に装着されるハンドル把手であって、
前記把手軸の外周側に前記把手軸に回転自在に装着され、基端側に外部に露出する露出部を有する金属製の筒状部と、
前記筒状部の先端部外周から前記把手軸の軸芯と交差する両方向に略柱状に延びる発泡樹脂製の把手部と、
前記露出部の先端部外周面と前記把手部の前記ハンドルアーム側端面とを凹状の滑らかな曲面で前記把手部の全外周とともに被覆する弾性樹脂製のカバー部とを備え、
前記露出部の先端部は、前記把手部を手で握ったとき、２本の指の間で挟持可能な位置まで延びている、釣り用リールのハンドル把手。
【請求項２】
前記把手部は、外周面が前記カバー部の凹状の滑らかな曲面に沿って形成され、前記筒状部外周面と前記ハンドルアーム側端面とを連結する連結部を有している、請求項１に記載の釣り用リールのハンドル把手。
【請求項３】
前記カバー部は、スチレン系熱可塑性エラストマー製部材である、請求項１又は２に記載の釣り用リールのハンドル把手。
【請求項４】
前記把手部は、前記筒状部の先端部外周から前記把手軸の軸芯と交差する両方向にそれぞれ略柱状に延びる第１把手部及び第２把手部を有しており、
前記第１把手部の径方向長さは、前記第２把手部の径方向長さより長い、請求項１から３のいずれか１項に記載の釣り用リールのハンドル把手。
【請求項５】
前記把手部は、前記筒状部の先端部外周から前記把手軸の軸芯と交差する両方向にそれぞれ略柱状に延びる第１把手部及び第２把手部を有しており、
前記第１把手部の軸方向長さは、前記第２把手部の軸方向長さより長い、請求項１から４のいずれか１項に記載の釣り用リールのハンドル把手。
【請求項６】
前記釣り用リールは、スピニングリールである、請求項１から５のいずれか１項に記載の釣り用リールのハンドル把手。
【請求項７】
前記釣り用リールは、両軸受リールである、請求項１から５のいずれか１項に記載の釣り用リールのハンドル把手。
【請求項８】
釣り用リールのハンドル軸の先端に装着されるハンドル組立体であって、
前記ハンドル軸の先端に基端が装着され、前記ハンドル軸と交差する方向に延びる前記ハンドルアームと、
前記ハンドルアームの先端に固定され、前記ハンドル軸に沿う方向に延びる前記把手軸と、
請求項１から７のいずれか１項に記載の前記ハンドル把手と、
を備えた釣り用リールのハンドル組立体。
【発明の詳細な説明】
【技術分野】
【０００１】
本発明は、ハンドル把手、特に、釣り用リールのハンドルアームの先端に固定された把手軸に回転自在に装着されるハンドル把手及びハンドル把手に関する。
【背景技術】
【０００２】
スピニングリールや、両軸受リール等の釣り用リールのハンドル軸の先端には、ハンドル組立体が固定されている。ハンドル組立体は、ハンドル軸の先端に回転不能に装着されたハンドルアームと、ハンドルアームの先端に固定された把手軸と、把手軸に回転自在に装着されたハンドル把手とを有している。このようなハンドル把手は、把手軸に回転自在に支持された金属製の筒状部と、筒状部の先端に略Ｔ字型になるように両方向に略柱状に延びる把手部とを有している。
【０００３】
このようなハンドル把手は、全体の軽量化を図るために、把手部の内部を発泡樹脂により形成したものが知られている（たとえば、特許文献１参照）。また、この種の把手部の外部には、筒状部及び把手部の全外周にわたって弾性樹脂製のカバー部が設けられている。ここでは、弾性樹脂製のカバー部を設けることにより、ハンドル把手を手で握ったときの握持性を向上させたり、ハンドル把手の外観の美観を向上させることができる。
【特許文献１】特開２０００−３０８４４３号公報
【発明の開示】
【発明が解決しようとする課題】
【０００４】
前記従来の釣り用リールのハンドル把手は、把手部の全外周にわたって弾性樹脂製のカバー部が設けられているので、把手部を手で握ったときの握持性を向上させることができる。しかし、カバー部は筒状部の全外周にわたって設けられているので、カバー部の厚みだけ筒状部の外径が大きくなる。ハンドル把手を手で握るときは、２本の指の間で筒状部を挟持するので、筒状部の外径が大きくなると、筒状部を２本の指の間で挟持しにくくなり、このためハンドル把手の握持性が低下するおそれがある。
【０００５】
本発明の課題は、釣り用リールのハンドル把手において、ハンドル把手の握持性を向上させることにある。
【課題を解決するための手段】
【０００６】
発明１に係る釣り用リールのハンドル把手は、釣り用リールのハンドルアームの先端に固定された把手軸に回転自在に装着されるハンドル把手であって、把手軸の外周側に把手軸に回転自在に装着され基端側に外部に露出する露出部を有する金属製の筒状部と、筒状部の先端部外周から把手軸の軸芯と交差する両方向に略柱状に延びる発泡樹脂製の把手部と、露出部の先端部外周面と把手部のハンドルアーム側端面とを凹状の滑らかな曲面で把手部の全外周とともに被覆する弾性樹脂製のカバー部とを備えている。露出部の先端部は、把手部を手で握ったとき、２本の指の間で挟持可能な位置まで延びている。
【０００７】
このハンドル把手では、筒状部の露出部の先端部が、把手部を手で握ったとき、２本の指の間で挟持可能な位置まで延びているので、筒状部の露出部がカバー部によって被覆されなくなる。したがって、筒状部の外径が大きくなるのを防止できるので、筒状部の露出部を２本の指の間で挟持しやすくなり、ハンドル把手の握持性を向上させることができる。また、カバー部は、弾性樹脂により形成され、筒状部の露出部と把手部との連結部分を凹状の滑らかな曲面で被覆している。ここでは、把手部を手で握ったとき、指の腹部分が弾性樹脂製かつ凹状の滑らかな曲面の連結部分に接触することになるので、ハンドル把手の握持性をさらに向上させることができる。
【０００８】
発明２に係るハンドル把手は、発明１のハンドル把手において、把手部は、外周面がカバー部の凹状の滑らかな曲面に沿って形成され、筒状部外周面とハンドルアーム側端面とを連結する連結部を有している。この場合、外周面が凹状の滑らかな曲面の連結部を形成することにより、カバー部の厚みを薄く形成することができる。
【０００９】
発明３に係るハンドル把手は、発明１又は２のハンドル把手において、カバー部は、スチレン系熱可塑性エラストマー製部材である。この場合、たとえばセプトン（商標）等のスチレン系熱可塑性エラストマーによりカバー部を形成することにより、把手部を握ったときの感触を良好にできるので、ハンドル把手の握持性をより向上できる。
【００１０】
発明４に係るハンドル把手は、発明１から３のいずれかのハンドル把手において、把手部は、筒状部の先端部外周から把手軸の軸芯と交差する両方向にそれぞれ略柱状に延びる第１把手部及び第２把手部を有している。第１把手部の径方向長さは、第２把手部の径方向長さより長い。この場合、ハンドル把手を握る手の下側部分が接触する第１把手部の径方向長さが長いので、把手部を握りやすくなる。
【００１１】
発明５に係るハンドル把手は、発明１から４のいずれかのハンドル把手において、把手部は、筒状部の先端部外周から把手軸の軸芯と交差する両方向にそれぞれ略柱状に延びる第１把手部及び第２把手部を有している。第１把手部の軸方向長さは、第２把手部の軸方向長さより長い。この場合、ハンドル把手を握る手の下側部分が接触する第１把手部の軸方向長さが長いので、把手部をさらに握りやすくなる。
【００１２】
発明６に係るハンドル把手は、発明１から５のいずれかのハンドル把手において、釣り用リールは、スピニングリールである。この場合、スピニングリールのハンドル把手の握持性を向上させることができる。
【００１３】
発明７に係るハンドル把手は、発明１から５のいずれかのハンドル把手において、釣り用リールは、両軸受リールである。この場合、両軸受リールのハンドル把手の握持性を向上させることができる。
【００１４】
発明８に係る釣り用リールのハンドル組立体は、釣り用リールのハンドル軸の先端に装着されるハンドル組立体であって、ハンドル軸の先端に基端が装着されハンドル軸と交差する方向に延びるハンドルアームと、ハンドルアームの先端に固定されハンドル軸に沿う方向に延びる把手軸と、発明１から７のいずれかのハンドル把手とを備えている。この場合、ハンドル組立体のハンドル把手の握持性を向上させることができる。
【発明の効果】
【００１５】
本発明によれば、釣り用リールのハンドル把手において、筒状部の露出部の先端部が、把手部を手で握ったとき、２本の指の間で挟持可能な位置まで延びているので、筒状部の露出部を２本の指の間で挟持しやすくなり、ハンドル把手の握持性を向上させることができる。また、カバー部は、弾性樹脂により形成され、筒状部の露出部と把手部との連結部分を凹状の滑らかな曲面で被覆しているので、ハンドル把手の握持性をさらに向上させることができる。
【発明を実施するための最良の形態】
【００１６】
本発明の一実施形態を採用した釣り用リールは、図１及び図２に示すように、トローリングに用いられる大型の両軸受リールである。釣り用リールは、筒状のリール本体１と、リール本体１の中心部に回転自在に装着されたスプール軸２と、スプール軸２に回転自在かつ軸方向移動不能に支持されたスプール３と、リール本体１の側方に配置されたハンドル組立体４とを備えている。また、釣り用リールは、ハンドル組立体４の回転をスプール３に伝達する回転伝達機構６と、スプール３の糸繰り出し方向の回転を制動するレバードラグ機構７と、スプール３の糸繰り出し方向の回転を規制する逆転防止機構９とをリール本体１の内部に備えている。
【００１７】
リール本体１は、金属製の左右１対の皿状の第１側板１０及び第２側板１１と、第１側板１０及び第２側板１１が両端に印籠結合により同芯に結合され、複数本の固定ねじ８により固定された金属製の孔あき筒状のリールボディ１２とを有している。第１側板１０及び第２側板１１は、その略中心部で回動自在にスプール軸２の両端を支持する。ハンドル組立体４側の第２側板１１には、スプール軸２を支持するために軸方向外方に突出するボス部１１ａが設けられており、ボス部１１ａの周囲には、ハンドル組立体４のハンドル軸５を装着するための厚肉円板状の軸受ブロック１５がねじ止めされている。
【００１８】
リールボディ１２と第１側板１０及び第２側板１１との間の上部にはリールハーネスに装着するためのハーネスラグ１３が間隔を隔てて装着されている。リールボディ１２の下部にはリールを釣竿に装着するための竿取付部１４が設けられている。
【００１９】
スプール軸２は、両端に配置された左右１対の軸受３１ａ、３１ｂによりリール本体１の第１側板１０及び第２側板１１に回転自在に支持されている。またその内側で軸方向に間隔を隔ててスプール３の両端に配置された２つの軸受３２ａ、３２ｂによりスプール３を回転自在に支持する。スプール軸２の右端の軸受３１ｂの外輪の右側にはレバードラグ機構７の後述する移動機構の構成部品が当接している。また内輪の左側には回転伝達機構６の後述する第３ギアが当接している。スプール軸２の左端の軸受３１ａの内輪の右側には逆転防止機構９が当接している。また外輪の右端には、第１側板１０が当接している。スプール３を支持する右側の軸受３２ｂの外輪の左側には熱感応油圧ドラグ機構３３を介してスプールが当接している。また内輪の右側には図示しないワッシャを介して皿ばね３４が当接している。この皿ばね３４は、後述する制動操作レバーの揺動に対してドラグ力を急激に上昇させることなく広範囲でドラグ力を調整可能にするために設けられている。スプール３を支持する左側の軸受３２ａの内輪の左側にはレバードラグ機構７の後述する第２ディスク板が当接している。外輪の右側はスプール３に当接している。
【００２０】
スプール３は、糸巻胴部３ａと糸巻胴部３ａの両端に一体形成されたフランジ部３ｂとを有している。右側のフランジ部３ｂの端面には、ドラグ作動時に音出しするための周方向に多数の音出し孔３５ａを有する音出しリング３５が設けられている。この音出しリング３５の音出し孔３５ａには第２側板１１に取り付けられた音出しピン３６が対向している。この音出しピン３６は突出側に付勢されている。また、この音出しピン３６は、レバー３７（図３参照）により進出位置と退入位置とに移動自在であり、仕掛けの投入時を除いて通常は、レバー３７により進出位置に配置される。このため、通常はスプール３が回転するとクリック音を発する。
【００２１】
ハンドル組立体４は、図２に示すように、スプール軸２の下方にスプール軸２と平行に配置された筒状のハンドル軸５の突出端に固定されている。ハンドル軸５は、ボス部１１ａの下方に軸方向に間隔を隔てて配置された２つの軸受３３ａ、３３ｂによりリール本体１に回転自在に支持されている。軸受３３ａ、３３ｂは、ボス部１１ａの下方で軸受ブロック１５にはめ込まれた筒状部材１５ａの内周面の両端に装着されている。ハンドル軸５の先端には、図４に示すように、径方向に貫通するスリット５ａが形成されており、先端内面には雌ねじ５ｄが形成されている。
【００２２】
ハンドル組立体４は、図７に拡大して示すように、ハンドル軸５（図２参照）の先端に基端が装着されハンドル軸５と交差する方向に延びるハンドルアーム７１と、ハンドルアーム７１の先端に固定される把手軸７２と、把手軸７２に回転自在に装着されるハンドル把手７３とを有している。
【００２３】
ハンドルアーム７１は、図７に示すように、ハンドル軸５（図２参照）と交差する方向に延びる板状のアーム本体７１ａと、アーム本体７１ａの先端にハンドル軸５（図２参照）に沿う方向に貫通して形成された雌ねじ部７１ｂとを有している。アーム本体７１ａは、ステンレス合金により形成されている。雌ねじ部７１ｂのリール本体１側の開口部は、他の部分よりやや大径になるように座繰り部が形成されている。
【００２４】
把手軸７２は、図７に示すように、ハンドルアーム７１の先端からハンドル軸５（図２参照）に沿う方向に延びるステンレス合金製の軸本体７２ａと、軸本体７２ａの基端に軸本体７２ａより小径となるように一体成形され雌ねじ部７１ｂに螺合可能な雄ねじ部７２ｂと、軸本体７２ａの先端に軸本体７２ａより大径となるように一体成形された頭部７２ｄとを有している。頭部７２ｄの先端面には、把手軸７２を回転させるための工具を係止するための係止部７２ｅ（図９参照）が形成されている。把手軸７２は、雌ねじ部７１ｂに雄ねじ部７２ｂを螺合させた後に、雄ねじ部７２ｂの先端部側からハンドルアーム７１の先端にかしめ固定されている。このため、雄ねじ部７２ｂの先端部には、かしめ工具によるかしめ孔７２ｃが形成される。ここでは、雄ねじ部７２ｂの先端部が潰されて雌ねじ部７１ｂ開口の座繰り部から外方に広がることにより、把手軸７２がハンドルアーム７１の先端にかしめ固定される。
【００２５】
ハンドル把手７３は、図７から図９に示すように、把手軸７２の外周に回転自在に装着された筒状部７４と、筒状部７４に回転不能に装着された把手部７５と、把手部７５の外周を被覆する弾性樹脂製のカバー部７６とを有している。
【００２６】
筒状部７４は、図７に示すように、黄銅、いわゆる真鍮等の金属製の筒状部材であって、外周部にはクロムめっき処理が施されている。筒状部７４の内周部は、把手軸７２の外周部との間に僅かな隙間が形成されている。筒状部７４は、基端側に設けられ把手部７５の外部に露出する露出部７４ａと、先端側に設けられ把手部７５の内部にインサート成形される埋設部７４ｂとを有している。
【００２７】
露出部７４ａは、把手部７５を手で握ったとき２本の指の間で挟持可能な位置まで延びる先端部７４ｃと、先端部７４ｃからやや基端側外周に他の部分より大径になるように形成された第１円形部７４ｄと、基端部外周に他の部分より大径になるように形成された第２円形部７４ｅとを有している。先端部７４ｃの外周面及び第１円形部７４ｄの先端面には、カバー部７６の先端面が接触するように配置されており、カバー部７６は、先端部７４ｃ外周面と後述する把手部７５の前端面７５ｃとを凹状の滑らかな曲面で把手部７５の全外周とともに被覆している。
【００２８】
埋設部７４ｂは、先端部内周に形成された段差部７４ｆと、先端部外周に大径となるように突出して形成された凸部７４ｇと、基端側外周に沿って凹んで形成された溝部７４ｈとを有している。段差部７４ｆには、把手軸７２の頭部７２ｄが接触可能に収納されており、これにより筒状部７４が把手軸７２に対して抜け止めされている。また、凸部７４ｇ及び溝部７４ｈは、筒状部７４を把手部７５にインサート成形するときに位置決めや抜け止めするために形成されている。
【００２９】
把手部７５は、図７に示すように、筒状部７４の先端がインサート成形された発泡樹脂製の略柱状部材である。把手部７５は、筒状部７４の先端部外周から把手軸７２の軸芯と交差する両方向にそれぞれ略柱状に延びる第１把手部７５ａ及び第２把手部７５ｂを有している。把手部７５は、図８に示すように、第１把手部７５ａの径方向長さＡが第２把手部７５ｂの径方向長さＢより長く、かつ第１把手部７５ａの軸方向長さＣが第２把手部７５ｂの軸方向長さＤより長くなるように形成されている。
【００３０】
把手部７５は、図７に示すように、略中央部に形成され前端面７５ｃと後端面７５ｄとの間を貫通する貫通孔７５ｆと、第１把手部７５ａの側端面７５ｅに凹んで形成された凹部７５ｇとを有している。貫通孔７５ｆは、前端面７５ｃ側の開口から筒状部７４の先端部がインサート成形され、後端面７５ｄ側の開口は蓋部材７７によって閉塞されている。蓋部材７７は、把手部７５と対向する側の２箇所に間隔をあけて形成された係止突起７７ａを有しており、２箇所の係止突起７７ａを把手部７５の後端面７５ｄの２箇所に凹んで形成された係止孔７５ｈに係止することにより、蓋部材７７を装着固定している。また、凹部７５ｇは、第１把手部７５ａの長手方向に沿って軽量化のために略円筒状に切り欠いて形成されたものであり、側端面７５ｅ側の開口は蓋部材７８によって閉塞されている。
【００３１】
把手部７５は、図７に示すように、外周面がカバー部７６の凹状の滑らかな曲面に沿って形成され、筒状部７４の露出部７４ａに設けられた先端部７４ｃ外周面と把手部７５の前端面７５ｃとを連結する連結部７５ｉを有している。
【００３２】
カバー部７６は、スチレン系熱可塑性エラストマー、たとえばセプトン（商標）等の弾性樹脂により形成されている。カバー部７６は、筒状部７４が把手部７５にインサート成形された状態で形成され、筒状部７４の先端部７４ｃ及び把手部７５の外周を被覆している。カバー部７６は、把手部７５の連結部７５ｉの外周を凹状の滑らかな曲面からなる曲面部７６ａで覆っており、カバー部７６の先端部は、筒状部７４の第１円形部７４ｄの先端部と滑らかに連設している。なお、カバー部７６は、把手部７５の貫通孔７５ｆ及び凹部７５ｇの開口部分には形成されていない。このため、後端面７５ｄ側の貫通孔７５ｆ及び凹部７５ｇの開口が外部に露出し、これらの開口は蓋部材７７、７８によって閉塞される。
【００３３】
このようなハンドル把手７３を手Ｈで握持するときは、図８に示すように、人指し指Ｈ１と中指Ｈ２で筒状部７４を挟持する。このとき、人指し指Ｈ１及び中指Ｈ２の側部が筒状部７４の露出部７４ａに接触し、人指し指Ｈ１及び中指Ｈ２の腹部分がカバー部７６の曲面部７６ａに接触している。ここでは、筒状部７４の露出部７４ａがカバー部７６によって被覆されなくなるので、筒状部７４の外径が大きくなるのを防止でき、筒状部７４を人指し指Ｈ１及び中指Ｈ２の間で挟持しやすくなる。また、ハンドル把手７３を手で握ったとき、人指し指Ｈ１と中指Ｈ２の腹部分が弾性樹脂製かつ凹状の滑らかな曲面の曲面部７６ａに接触することになるので、ハンドル把手７３の握持性を向上させることができる。
【００３４】
回転伝達機構６は、高低２速に切り換え可能な変速機構を備えている。回転伝達機構６は、図２及び図４に示すように、ハンドル組立体４のハンドル軸５に回転自在に支持された高速巻き取り用の第１ギア１６及び低速巻き取り用の第２ギア１７と、第１ギア１６及び第２ギア１７にそれぞれ噛み合う状態でスプール軸２に回転不能に装着された第３ギア１８及び第４ギア１９と、第１ギア１６及び第２ギア１７のいずれか一方とハンドル軸５とを結合し、回転を伝達する係合片２０と、係合片２０の両側で係合片２０を位置決めする２つの圧縮ばね２１ａ、２１ｂと、係合片２０の位置を設定する操作軸２２とを有している。
【００３５】
係合片２０は、ハンドル軸５のスリット５ａ内に回転不能に配置されている。係合片２０の中心部には突起部２０ａが設けられている。突起部２０ａは、圧縮ばね２１ａを受けるフランジ状のばね受け２４の内周側に配置される。ばね受け２４は、ハンドル軸５の先端にねじ止めされている。
【００３６】
操作軸２２は、ハンドル軸５内部にハンドル軸５を貫通して外部に突出している。操作軸２２は、ハンドル軸５の突出端にねじ込まれたガイド部５ｂ及びハンドル軸５の中間部内周面に形成されたガイド部５ｃにより軸方向に移動自在に支持されている。操作軸２２の外部への突出端には溝２２ａが形成されている。この溝２２ａに係合する、スライド型のストッパ２３がハンドル組立体４に設けられている。また、操作軸２２の逆側の端部には圧縮ばね２１ｂを受けるばね受け部材２２ｂが装着されている。
【００３７】
このような構成の回転伝達機構６では、操作軸２２を図２及び図４の操作軸芯の上側に示すように押し込むと、第２ギア１７に係合片２０が配置されハンドル組立体４の回転が第２ギア１７を介して第４ギア１９に伝達されスプール軸２及びスプール３が低速回転する。一方、スライド型のストッパ２３をスライドさせて操作軸２２を図４操作軸芯の下側に示すように引き出すと、第１ギア１６に係合片２０が配置されハンドル組立体４の回転が第１ギア１６を介して第３ギア１８に伝達されスプール軸２及びスプール３が高速回転する。
【００３８】
レバードラグ機構７は、図２に示すように、スプール３の図２左端に装着された制動ディスク２５と、制動ディスク２５の両側に配置された１対の摩擦ディスク２６、２７と、制動ディスク２５をスプール３を介して摩擦ディスク２７から離反する方向に付勢する付勢手段であるコイルばね２８（図６参照）と、スプール３及び摩擦ディスク２７をスプール軸方向に往復移動させるための移動機構２９とを有している。
【００３９】
制動ディスク２５は、図５に示すように、たとえばステンレス製のワッシャ状の円板部材であり、周方向に間隔を隔てて配置された複数本の取付ピン４０により、スプール３の左側のフランジ部３ｂの端面にスプール３と接離する方向に所定距離移動自在かつスプール３に対して回転不能に装着されている。取付ピン４０は、フランジ部３ｂの端面にねじ込まれるねじ部４０ａと、ねじ部４０ａより大径のガイド部４０ｂと、ガイド部４０ｂより大径の頭部４０ｃとを有している。制動ディスク２５は、取付ピン４０のガイド部４０ｂに軸方向移動自在に装着されており、ガイド部４０ｂの軸方向長さから自身の厚みを引いた所定距離移動自在である。この取付ピン４０が制動ディスク２５の回り止め部材と制限部材とを兼ねている。制動ディスク２５は、制動解除状態ではコイルばね２８により付勢されて頭部４０ｃに接触する位置に配置されている。なお、図４及び図５では、スプール軸芯より上側に制動状態が下側に制動解除状態が描かれている。
【００４０】
摩擦ディスク２６は、制動ディスク２５のスプール３と逆側の面に対向して配置されている。摩擦ディスク２６の制動ディスク２５に対向する面には、たとえばカーボングラファイトや繊維強化樹脂などの耐摩耗素材製のリング状の摩擦板２６ａがビス等の適宜の固定手段により固定されている。摩擦ディスク２６は、中心部に筒状のボス部２６ｂを有しており、このボス部２６ｂにスプール軸２の径方向に沿って貫通してスプール軸２に装着されたピン２ａが係止されている。これにより摩擦ディスク２６は、スプール軸２に回転不能に装着されており、スプール軸２とともに回転する。また、摩擦ディスク２６のボス部２６ｂの図５左端面には逆転防止機構９のラチェットホイール５０が当接している。ラチェットホイール５０は、ボス部２６ｂの外周面にたとえばセレーションなどの適宜の係止手段により回転不能に装着されている。ラチェットホイール５０は、軸受３１ａの内輪に当接している。また軸受３１ａの外輪は前述したように第１側板１０に当接している。この結果、摩擦ディスク２６は、スプール軸方向外方（図５左方）つまり制動ディスク２５から離反する方向へ移動不能であるとともに、ラチェットホイール５０により糸繰り出し方向の回転が禁止される。
【００４１】
なお、逆転防止機構９は、外周面に鋸歯５０ａが形成されたラチェットホイール５０と、ラチェットホイール５０の外周側に配置され先端が鋸歯５０ａを係止するラチェット爪５１とを有する爪式のものである。ラチェット爪５１は、第１側板１０の内側面に揺動自在に装着されており、引張ばねにより鋸歯５０ａを係止する側に付勢されている。
【００４２】
摩擦ディスク２７は、制動ディスク２５のスプール３側の面に対向して配置され、摩擦ディスク２６と連動して回転しかつ摩擦ディスク２６に対して接離するようにスプール軸方向に移動自在にスプール軸２に装着されている。摩擦ディスク２７の制動ディスク２５に対向する面には、たとえばカーボングラファイトや繊維強化樹脂等の耐摩耗性素材製のリング状の摩擦板２７ａがねじ止めされている。摩擦ディスク２７は、スプール軸２の径方向に沿って貫通してスプール軸２に装着されたピン２ｂにより中心でスプール軸２に回転不能に装着されている。また、摩擦ディスク２７の図５右端面にはワッシャ３０を介して軸受３２ａの内輪が当接している。この結果、摩擦ディスク２７は、軸受３２ａを介してスプール３により押圧されるとともに、スプール３を押圧する。
【００４３】
摩擦ディスク２６の外側は、ドラグカバー４１により覆われている。ドラグカバー４１は、たとえば放熱性能を考慮したアルミニウム合金製であり、中心に円形の開口を有する皿状のカバー本体４１ａと、カバー本体４１ａの外周面に一体形成されたリング状の取付部４１ｂとを有している。カバー本体４１ａは、内部に摩擦ディスク２６、２７や制動ディスク２５を収納可能な空間を有している。取付部４１ｂは、複数本のビスなどの適宜の固定手段によりスプール３のフランジ部３ｂの端面に固定されている。このように複数本のビスにより固定すると、全体をスプールにねじ込み式で固定する場合に比べて締め付けトルクの管理が容易であり、組み立てが容易になる。
【００４４】
取付部４１ｂには、スプール側端面からスプール３側に突出する筒状のシール部４１ｃが設けられている。スプール３の左側のフランジ部３ｂの端面には、環状溝３ｃが形成されており、この環状溝３ｃにシール部４１ｃがはめ込まれている。この環状溝３ｃにシール部４１ｃをはめ込むことで、シール部４１ｃの内周面でスプール３とドラグカバー４１との芯出しがなされている。シール部４１ｃの外周面にはＯリング４２が装着され外周側からの液体の浸入を防止している。
【００４５】
カバー本体４１ａの内周面にも摩擦ディスク２６側に突出するシール部４１ｄが設けられている。シール部４１ｄには、リップ付きのシール部材４３が装着されている。このシール部材４３のリップの先端は、摩擦ディスク２６のボス部２６ｂの外周面に接触している。これにより内周側からの液体の浸入も防止される。これらのＯリング４２及びシール部材４３により、ドラグカバー４１とスプール３及びドラグカバー４１と摩擦ディスク２６とがシールされ、制動ディスク２５や摩擦ディスク２６、２７が配置されるドラグカバー４１内が水密に封止される。このようにＯリング４２と、シール部材４３とを組み合わせることで、信頼性の高いドラグ防水構造が得られる。なお、Ｏリング４２の装着を容易にするためにシール部４１ｃにＯリングの取付溝を設けてもよい。
【００４６】
移動機構２９は、図３から図５に示すように、リール本体１に揺動自在に設けられた制動操作レバー４５と、制動操作部材の図３時計回りの揺動に応じてスプール３及び前記摩擦ディスク２７を押圧して図４左方に移動させる押圧機構４６と、摩擦ディスク２７を付勢して制動操作レバー４５の図３反時計回りの移動に応じてスプール及び摩擦ディスク２７を図４右方に移動させるためのリターンばね４７とを有している。
【００４７】
リターンばね４７は、両摩擦ディスク２６、２７の間においてスプール軸２の外周側に圧縮状態で装着され、両摩擦ディスク２６、２７を離反する方向に付勢しかつ摩擦ディスク２７及びスプール３を図５右方に付勢する。
【００４８】
制動操作レバー４５は、図２に実線で示す制動解除位置と２点鎖線で示す最大制動位置との間でリール本体１に揺動自在に装着されている。制動操作レバー４５は、ボス部１１ａに揺動自在に装着されるレバー部４５ａと、レバー部４５ａの先端に固定されたつまみ部４５ｂとを有している。レバー部４５ａの基端部は、押圧機構４６を構成する第１カム部材６０に回転不能に係止されている。
【００４９】
押圧機構４６は、ボス部１１ａの内周面に回転自在かつ軸方向移動不能に装着された第１カム部材６０と、第１カム部材６０の回動により軸方向に移動する第２カム部材６１と、第２カム部材６１に連動して軸方向に移動する押圧部材６２と、押圧部材６２による押圧力を調整するための押圧力調整機構６５とを備えている。
【００５０】
第１カム部材６０は、制動操作レバー４５の揺動に連動して回動する大小２段の筒状部材である。第１カム部材６０の小径の先端側（図４右側）の外周面には、セレーションなどの適宜の係止手段により制動操作レバー４５のレバー部４５ａの基端が回転不能に係止されている。大径の基端側の端面には傾斜カム６０ａが形成されている。
【００５１】
第２カム部材６１は、筒状の部材であり、ボス部１１ａの内周面に回転不能かつ軸方向移動自在に装着されている。第２カム部材６１の第１カム部材６０に対向する外周側の端面には、傾斜カム６０ａに係合する傾斜カム６１ａが形成されている。この２つの傾斜カム６０ａ、６１ａの相対回動により第１カム部材６０の回動運動が第２カム部材６１の軸方向の直線運動に変換され第２カム部材６１が軸方向に移動する。第２カム部材６１には、径方向に突出する２本の係止ピン６３が立設されている。係止ピン６３の先端は、ボス部１１ａの内周面に軸方向に沿って形成された係止溝１１ｂに係止されており、第２カム部材６１をボス部１１ａに回転不能に係止している。第２カム部材６１の内周面は、押圧部材６２に螺合している。これにより第２カム部材６１と押圧部材６２との軸方向の相対位置関係を調整でき、制動操作レバー４５の所定位置でのドラグ力を調整できる。
【００５２】
押圧部材６２は、鍔付き円筒状の部材であり、円筒部分の外周面が第２カム部材６１に螺合している。また、鍔部分の図４左端面は僅かに突出しており、この突出部分が軸受３２ｂの外輪に当接している。
【００５３】
押圧力調整機構６５は、押圧部材６２の中心部に先端部６６ａが回転不能かつ軸方向移動自在に係止される調整ノブ６６を有している。調整ノブ６６は、リール本体１にスプール軸芯回りに回転自在に装着されており、回転によりクリック音を生じるように構成されている。調整ノブ６６を回動させると、押圧部材６２が回動し、押圧部材６２と押圧部材６２に螺合する第２カム部材６１との軸方向の相対位置が変化する。これにより制動操作レバー４５が所定位置にあるときのドラグ力を調整できる。なお、図４では、スプール軸芯の下側に、押圧部材６２と第２カム部材６１とを接触させて押圧力を最小に調整した状態を示し、上側に、押圧部材６２と第２カム部材６１とが最も離反させて押圧力を最大に調整した状態を示している。
【００５４】
〔他の実施形態〕
（ａ）  前記実施形態では、釣り用リールのハンドル組立体として両軸受リールのハンドル組立体２を例にあげて説明したが、釣り用リールはこれに限定されるものではなく、スピニングリールのハンドル組立体にも本発明を適用できる。
【００５５】
（ｂ）  前記実施形態では、把手部７５は連結部７５ｉが形成されていたが、図１０に示すように、カバー部７６の曲面部７６ａの内周部を厚肉に形成し、連結部７５ｉを設けない構成にしてもよい。
【００５６】
（ｃ）  前記実施形態では、筒状部７４の外周には第１円形部７４ｄが形成されていたが、図１１に示すように、カバー部７６の先端部を筒状部７４の外周に滑らかに連設し、第１円形部７４ｄを設けない構成にしてもよい。
【００５７】
（ｄ）  前記実施形態では、把手軸７２と筒状部７４との間には、僅かな隙間が形成されて相対回転可能になっていたが、図１２に示すように、把手軸７２と筒状部７４との間に軸受７９ａ、７９ｂを設ける構成にしてもよい。具体的には、軸受７９ａ、７９ｂの外輪が筒状部７４の内周部に接触するように配置され、軸受７９ａの内輪が軸受７９ａの内輪とアーム本体７１ａとの間の把手軸７２の外周に装着された環状のスペーサ７９ｃに接触するように配置され、軸受７９ｂの内輪が把手軸７２の頭部７２ｄに接触するように配置されている。ここでは、軸受７９ａ、７９ｂを設けることにより、ハンドル把手７３の把手軸７２に対する回転性を向上できる。
【００５８】
（ｅ）  前記実施形態では、ハンドルアーム７１は、ステンレス合金により形成されていたが、アルミニウム合金等の他の金属によりハンドルアーム７１を形成してもよい。また、把手軸７２は、ステンレス合金により形成され、筒状部７４は、真鍮により形成されていたが、材質はこれに限定されるものではない。
【図面の簡単な説明】
【００５９】
【図１】本発明の一実施形態を採用した釣り用リールの斜視図。
【図２】前記釣り用リールの断面図。
【図３】前記釣り用リールの側面図。
【図４】前記釣り用リールの右断面拡大図。
【図５】前記釣り用リールの左断面拡大図。
【図６】レバードラグ機構の断面部分図。
【図７】ハンドル組立体の断面拡大図。
【図８】前記ハンドル組立体の側面拡大図。
【図９】前記ハンドル組立体の背面拡大図。
【図１０】他の実施形態の図７に相当する図。
【図１１】他の実施形態の図７に相当する図。
【図１２】他の実施形態の図７に相当する図。
【符号の説明】
【００６０】
１  リール本体
２  スプール軸
３  スプール
４  ハンドル組立体
５  ハンドル軸
７１  ハンドルアーム
７１ａ  アーム本体
７１ｂ  雌ねじ部
７２  把手軸
７２ａ  軸本体
７２ｂ  雄ねじ部
７２ｃ  かしめ孔
７２ｄ  頭部
７２ｅ  係止部
７３  ハンドル把手
７４  筒状部
７４ａ  露出部
７４ｂ  埋設部
７４ｃ  先端部
７４ｄ  第１円形部
７４ｅ  第２円形部
７４ｆ  段差部
７４ｇ  凸部
７４ｈ  溝部
７５  把手部
７５ａ  第１把手部
７５ｂ  第２把手部
７５ｃ  前端面
７５ｄ  後端面
７５ｅ  側端面
７５ｆ  貫通孔
７５ｇ  凹部
７５ｈ  係止孔
７５ｉ  連結部
７６  カバー部
７６ａ  曲面部
７７、７８  蓋部材
【図１】
2006166715.tif 000003
【図２】
2006166715.tif 000004
【図３】
2006166715.tif 000005
【図４】
2006166715.tif 000006
【図５】
2006166715.tif 000007
【図６】
2006166715.tif 000008
【図７】
2006166715.tif 000009
【図８】
2006166715.tif 000010
【図９】
2006166715.tif 000011
【図１０】
2006166715.tif 000012
【図１１】
2006166715.tif 000013
【図１２】
2006166715.tif 000014